(57)【特許請求の範囲】
【請求項１】
シリンダ室と二次室とを有する一斉開放弁と、該シリンダ室に接続される感知ヘッド用配管と、前記二次室に接続される消火用の配管とを備えた消火設備において、
前記感知ヘッド用配管に、フレキシブル管を介して感知ヘッドを接続したことを特徴とする消火設備。
【請求項２】
上端がスラブに埋め込まれた吊り金具と、該吊り金具の下方に設けた固定金具とを備え、該固定金具により前記フレキシブル管の継手部分を保持したことを特徴とする請求項１記載の消火設備。
【請求項３】
前記感知ヘッドは、前記感知ヘッド用配管に接続されるヘッド本体と、該放水口を塞ぐ弁体と、該弁体を支持し、火災時の熱により破裂または溶融する感熱部と、前記ヘッド本体に接続され、該感熱部を支持する連結部を有するアームとを備え、前記連結部の下部に、デフレクタの取り付けを省略して、集熱板が取り付けられることを特徴とする請求項１又は２記載の消火設備。
【発明の詳細な説明】
【０００１】
【発明の属する技術分野】
本発明は一斉開放弁を備えた消火設備に使用され、火災時の熱を感知する感知ヘッド及びスプリンクラヘッドに関するものである。
【０００２】
【従来の技術】
従来、駐車場の消火設備として、図４に示すような泡式の消火設備が一般的に使用されている。２６は泡ヘッド、２７は感知ヘッドで、それぞれ消火用配管２５と感知ヘッド用配管２８に接続される。２９は一斉開放弁で、感知ヘッド用配管２８が接続されるシリンダ室と、消火用の配管２５が接続される二次室とを備える。３０は手動起動弁、３１は防護区画毎に設けられる流水検知装置、３２は混合器、３３は泡原液を貯めた原液タンク、３４は圧力空気槽、３６はポンプ、３７は水槽である。
【０００３】
火災の発生により感知ヘッド２７が開放すると、感知ヘッド用配管内２８の減圧により一斉開放弁２９が開放し、泡ヘッド２６側に消火液としての泡水溶液が流出し、泡ヘッド２６から泡が放出される。配管内の圧力低下を圧力空気槽３４に取り付けられた図示しない圧力スイッチが検知すると、図示しない制御盤によりポンプ３６が起動され、水槽３７の水と原液タンク３３の泡原液が、混合器３２により所定の比率で混合され、泡水溶液となって泡ヘッド２６に供給される。
【０００４】
この感知ヘッド２７は一般のビルなどに設置されるスプリンクラヘッドと同じものが使用され、特に駐車場などでは、腐食性雰囲気に備えて、感熱部にグラスバルブを使用したフレーム型のスプリンクラヘッドが使用されることが多い。
【０００５】
【発明が解決しようとする課題】
スプリンクラヘッドは、放水口を塞ぐ弁体と、該弁体を支持し、かつ火災時の熱をうけて、溶融または破裂して分解する感熱部と、放水口から流出する消火水を所定の散水パターンで散水するためのデフレクタとを備える。
【０００６】
しかし上記のような消火設備でスプリンクラヘッドを感知ヘッドとして使用する場合は、消火剤の放出は泡ヘッドが行うため、感知ヘッドにはデフレクタは不要である。なおデフレクタは散水時における放水圧力に耐えれる強度を持たすためにヘッド本体にカシメて取り付けるのが普通である。
【０００７】
また感熱部が分解して落下するフラッシュ型のようなスプリンクラヘッドには、感度を高めるための集熱板が取り付けられるが、グラスバルブを使用したフレーム型のスプリンクラヘッドでは、集熱板をヘッド本体に取り付けると散水の障害となるため、現状、集熱板は取り付けられていない。
【０００８】
【課題を解決するための手段】
本発明は、シリンダ室と二次室とを有する一斉開放弁と、該シリンダ室に接続される感知ヘッド用配管と、前記二次室に接続される消火用の配管とを備えた消火設備において、感知ヘッド用配管に、フレキシブル管を介して感知ヘッドを接続したことを特徴とするものである。
また上端がスラブに埋め込まれた吊り金具と、該吊り金具の下方に設けた固定金具とを備え、該固定金具により前記フレキシブル管の継手部分を保持したことを特徴とするものである。
また、感知ヘッドは、感知ヘッド用配管に接続されるヘッド本体と、該放水口を塞ぐ弁体と、該弁体を支持し、火災時の熱により破裂または溶融する感熱部と、ヘッド本体に接続され、該感熱部を支持する連結部を有するアームとを備え、連結部の下部に、デフレクタの取り付けを省略して、集熱板が取り付けられることを特徴とするものである。
【００１０】
【発明の実施の形態】
実施形態１
図１は本発明の感知ヘッド１を示した断面図である。この感知ヘッド１は、ヘッド本体２と、ヘッド本体２の下方に接続されたフレーム３とからなり、一般に馬蹄型又はフレーム型と呼ばれるものである。
【００１１】
ヘッド本体２は上部が筒状に形成され、外周に図示しない感知ヘッド用配管と接続されるねじ部４を、内部には放水口６を有している。またヘッド本体２の下部、つまりねじ部４の下側には、例えば六角形状に形成されるフランジ部７が設けられ、図示しない取り付け治具を嵌合させることができ、この治具をねじ込むことで、感知ヘッド１を感知ヘッド用配管に接続させることができる。
【００１２】
フレーム３は、複数本、例えば２本のほぼＬ字状のアーム８から構成される。アーム８は、上端がヘッド本体２のフランジ部７に接続され、下方にほぼ垂直に延び、下端部が中心方向に曲がって、下部中央でそれぞれのアーム８が連結される。この下部中央を以下、連結部９と呼ぶ。連結部９には、上下方向に貫通したねじ穴１２が設けられ、止めねじ１１がねじ込まれる。止めねじ１１はねじ穴１２の高さよりも長めに形成され、その下部が連結部９よりも下方に突出する。
【００１３】
１３は放水口６を塞ぐ、断面凸状の弁体で、下部中央には、凹部１４が形成され、この凹部１４に感熱部としてのグラスバルブ１６の上端を挿入し、またグラスバルブ１６の下端を連結部９（止めねじ１１上部）に置くことで、弁体１３は落下しないように支持される。なおここで、感熱部１６とは、火災時の熱により破裂または溶融するものをいう。このグラスバルブ１６は、止めねじ１１のねじ込み量を加減することで、グラスバルブ１６にかかる荷重を設定できるようにしてある。
【００１４】
止めねじ１１の上端の形状は、グラスバルブ１６との接触面積が大きくなるようにすることが好ましく、例えば上端をキャップ状にして、グラスバルブ１６の下端を収容できるようにしてもよい。この止めねじ１１は、ヘッド本体２よりも熱伝導度の高い材質で構成することが望ましく、こうすることにより集熱板１７から受けた熱をヘッド本体２へ逃がさずにすむ。
【００１５】
１７は熱伝導度の高い金属からなる集熱板で、火災時の熱を受けて、加熱されるものである。集熱板１７は例えば円板状または皿状に形成され、その中心にはねじ穴１８が設けられ、止めねじ１１（連結部９の下方に突出した部分）に取り付け可能になっている。集熱板１７の大きさは、特に限定されないが、例えば感知ヘッド１のフランジ部７の外径とほぼ同じ大きさから、その数倍程度の大きさに設定される。
【００１６】
図２はこの感知ヘッド１を防護区域に設置した状態を示したものである。２８は従来技術で説明した感知ヘッド用配管で、その基端は図示しない一斉開放弁のシリンダ室に接続される。２０はフレキジブル管で、一端が感知ヘッド用配管２８に接続され、他端が感知ヘッド１に接続される。２１は上端がスラブＳに埋め込まれた吊り金具で、この吊り金具２１の下方に設けた固定金具２２によりフレキシブル管２０の継手部分が保持され、フレキシブル管２０は動かないように固定される。なお感知ヘッド１は図２に示すように上向きで設置、つまり集熱板１７が上側に位置するように設置される。
【００１７】
次にこの実施形態の作用を説明する。火災が発生すると、熱気流が集熱板１７にあたって、集熱板１７が加熱される。加熱された集熱板１７の熱は止めねじ１１へと流れ、更にグラスバルブ１６の下端へとその熱は流れる。その結果、グラスバルブ１６の加熱が促進され、グラスバルブ１６は破裂する。このように集熱板１７によってグラスバルブ１６の感度が高まり、消火ヘッドからの消火剤の放出を早めることが可能となる。
【００１８】
また感知ヘッド１はフレキシブル管２０を介して感知ヘッド用の配管２８と接続されているので、防護区画の形状や照明器具等の位置を考慮して、最適な位置に簡単に設置することができる。またダクトの増設などの際に感知ヘッド１を容易に移設することも可能である。
【００１９】
更に集熱板１７は止めねじ１１にねじ込むだけで取り付け可能である。しかもデフレクタの取り付けが不要なので、簡単に感知ヘッド１を製造することが可能である。
【００２０】
なお従来、スプリンクラヘッドと給水本管の間に集熱板を設けるようにしたものがあるが、この場合だと、ヘッドが下向きに設置される場合にしか適用できなかった。本発明の集熱板１７は感知ヘッド１のアーム８の連結部の９の下部に取り付けるようにしてあるのでヘッド１を下向きに設置する場合は勿論、図２に示すように、上向きに設置しても、何ら問題ない。なお感知ヘッド１を下向きに設置する場合には、集熱板１７はグラスバルブ１６の保護をすることにもなる。
【００２１】
実施形態２
この発明の第２の実施形態を図３を用いて説明する。なお実施形態１と同じ部分には同じ符号をつけて説明を省略する。図３は実施形態２にかかわるスプリンクラヘッドの断面図で、実施形態１と異なる点は、実施形態１の感知ヘッド１にデフレクタを設けることでスプリンクラヘッドとして利用できるようにした点である。
【００２２】
４０は、放水口６からの消火水をスプリンクラヘッド４１の周囲に散水するためのデフレクタで、ほぼ円板状に形成され、その周縁部には溝や爪が設けられる。デフレクタ４０の中心部にはねじ穴４２が設けられ、止めねじ１１に取り付け可能になっており、集熱板１７と連結部９の間に設けられる。
【００２３】
なおスプリンクラヘッド４２が上向きで設置される場合には、集熱板１７の外径はデフレクタ４０の外径より大きく形成される。逆にスプリンクラヘッドが下向きに設置される場合には、集熱板１７の外径はデフレクタ４０の外径より小さく形成され、散水時の障害とならないように設計される。
【００２４】
このようにスプリンクラヘッド４１においても、集熱板１７を設けることで、グラスバルブ１６に火災時の熱を止めねじ１１を介して効率良く伝えることができるので、早期にグラスバルブ１６を破裂させて、消火水の散水を行うことが可能となる。
【００２５】
なお実施形態１および実施形態２においては、ともに止めねじに集熱板をねじ込む場合で説明したが、集熱板のねじ穴をねじ挿通穴として、止めねじに挿通させ、その後、止めねじの端部を押しつぶしたりすることで、集熱板をヘッド本体（連結部の下部）にカシメ付けてもよい。
【００２６】
【発明の効果】
本発明は、感知ヘッドがフレキシブル管を介して感知ヘッド用の配管と接続されているので、防護区画の形状や照明器具等の位置を考慮して、最適な位置に簡単に設置することができる。またダクトの増設などの際に感知ヘッドを容易に移設することも可能である。また、感知ヘッドは、感知ヘッドへのデフレクタの取り付けを省略しているので、製造の手間を省くことができる。
【図面の簡単な説明】
【図１】本発明の感知ヘッドの断面図である。
【図２】図１の感知ヘッドの取り付け状態を示す図面である。
【図３】本発明のスプリンクラヘッドの断面図である。
【図４】従来の感知ヘッドが使用される消火設備の系統図である。
【符号の説明】
１  感知ヘッド、２  ヘッド本体、３  フレーム、４  ねじ部、６  放水口、
７、フランジ部、８  アーム、９  連結部、１１  止めねじ、１２  ねじ穴、
１３  弁体、１４  凹部、１６  グラスバルブ、１７  集熱板、１８  ねじ穴、
２０  フレキシブル管、２１  吊り金具、２２  固定金具、２５  消火用配管、
２６  泡ヘッド、２７  感知ヘッド、２８  感知ヘッド用配管２８、
２９  一斉開放弁、３０  手動起動弁、３１  流水検知装置、３２は混合器、
３３  原液タンク、３４  圧力空気槽、３６  ポンプ、３７  水槽、
４０  デフレクタ、４１  スプリンクラヘッド、４２  ねじ穴、Ｓ  スラブ、
【図１】
0003651533.tif 000002
【図２】
0003651533.tif 000003
【図３】
0003651533.tif 000004
【図４】
0003651533.tif 000005